(57)【要約】      （修正有） 【課題】加齢等により下垂し弾力性の低下したバストであっても、カップ上部にふくらみを形成し、外見上はあたかも豊かなバストの膨らみであるかの様に見え、安定してその状態を維持させることができるブラジャーを提供する。【解決手段】ブラジャーの前面部分の構造において、任意の大きさに形成した見せかけのカップを有する外前身頃と、外前身頃のカップよりも縦方向が短く容量が少ないカップを有する内前身頃を重ね合わせて縫合した２重構造であり、その２枚の間の空間をクッション材で隙間を埋める。【選択図】図１
0003156785.tif 000002
【実用新案登録請求の範囲】
【請求項１】
ブラジャーの前面部分の構造において、任意の大きさに形成した見せかけのカップを有する＜外前身頃＞と使用者のバストを上方へ押し上げる形状（外側カッフ゜よりも縦方向が短く、容量が少ない）に形成したカップを有する＜内前身頃＞を重ね合わせて縫合した2重構造であり、その2枚の間の空間をクッション材で隙間を埋めた構造のブラジャー。
【請求項２】
請求項１記載のブラジャーの構造を有した衣類。
【考案の詳細な説明】
【技術分野】
【０００１】
本考案はバストをリフトアップして形を整えるというブラジャーの基本的な機能に付随しており、下垂したバストを上方に集めて維持しつつも実際よりも大きなバストを自然に演出できる技術に関するものである。
【背景技術】
【０００２】
通常一般的なブラジャーはサイズに依ってバストが丁度良く収まるカップを設けており、それをリフトアップすることで形を整えている。美しい形状を保つため、カップ廻りにワイヤーを挿入するなど一般的である。また、実際よりもバストを大きく見せたりバストを上方へ押し上げる技術として例を図８で示した。図４で示すカップの内側に、布片30,31,32を接ぎ合せ、カップ下方部分に袋を形成し、パッド31を挿入することによりバストを上方へ上げる技術や、ウレタンシートなどを用いて34で示す様にカップの下方を厚底に形成する技術は既に周知である。
【先行技術文献】
【特許文献】
【０００３】
【特許文献１】特開平09-176904号公報
【特許文献２】特開平09-031711号公報
【特許文献３】特開平08-092803号公報
【特許文献４】実開平05-062513号公報
【考案の概要】
【考案が解決しようとする課題】
【０００４】
しかし、上記の様なカップの中の底上げでは、密着して支える土台部分までの距離が長く、下垂してハリが低下したバストは流動的なのでズレ易く安定して維持することが困難である。着用した後に動いたり時間が経過したりするとカップがズレて目的を果たしていないこともしばしばである。
【課題を解決するための手段】
【０００５】
本考案は、通常１組で構成されている＜前身頃＞、いわゆるブラジャーのカップとそれを支える土台から成る基礎部分が２組必要になる。１つは容量の大きなカップを有した外前身頃（図４）であり、見せかけの大きさを形成したものである。もう１つは容量の小さなカップを有した内前身頃（図５）であり、浅く横に長い形状でバスト下部を押し上げ、カップ上部に容積を移動させることを目的とした形状をしている。この外側と内側とを合わせて縫合し、２枚の前身頃の間に出来る隙間にパッド16（図７）などのクッション材を挿入することにより、外観の大きさと実際のバストの容量の差を埋めることを可能にする。
加えて、上方に押し上げたバストがずり下がってこない様、内側のカップ下の土台にはパワーネットなどの弾性のある布を用い、カップとの境目にループ状テープを縫着して流れを押さえ、動きによって生じる皮膚の伸縮に対応するので安定感が高まる。図１は上記＜前身頃＞の構造断面図である。
【考案の効果】
【０００６】
以上説明したように本発明のブラジャーは、ハリの低下したバストでも安定した着け心地で、バスト上部にふっくらとした若々しいシルエットを作る事を可能にした。図９は着用時の横からの断面概略図である。この事により、胸元が開いた衣類やバストのシルエットが出やすい衣類なども美しく安心して着用することが可能である。
【図面の簡単な説明】
【０００７】
【図１】図３を１点鎖線aで切断した断面図である。
【図２】本発明の表側正面図である。
【図３】本発明の裏側正面図である。
【図４】外前身頃の裏側正面図である。
【図５】内前身頃の裏側正面図である。
【図６】構成部材のワイヤーを示したものである。
【図７】構成部材のパッド（クッション材）を示したものである。
【図８】既存技術による上げ底構造のブラジャーカップの断面図である。
【図９】着用時の横断面概略図である。
【考案を実施するための形態】
【０００８】
まず図４，図５の外前身頃、内前身頃のカップ部分を形成する。図１に示す外前身頃のカップの芯材（不織布など）11,12をテープ状布13を用い縫い合せる。また、内前身頃のカップの芯材17,18もテープ状布20で縫い合わす。
【０００９】
表カップ布1,2を接ぎ合せ、外前身頃の11、17の上辺を縫い合わせながら表カップ1の上辺でくるむ。
【００１０】
表カップ1,2、外前身頃の11,12を縫い合わせたものと連結布22を重ね、土台布3と接ぎ合せる。カップと土台の接ぎ目にはルーフ゜状布14を縫着しておく。
【００１１】
内前身頃の17,18を縫い合わせたものと土台布19と外前身頃のカップに縫着されている連結布22を重ねて接ぎ合わせる。カップと土台の接ぎ目にはルーフ゜状布21を縫着しておく。
【００１２】
不織布等で形成したパッド16（図７，図１）をカップ脇より挿入する。
【００１３】
バック布4（図２）と外前身頃，内前身頃を一緒にb（図２）で接ぎ合わせテープ状布10（図３）で縫い代を伏せる。
【００１４】
9、8（図３，図１）のストレッチテープを縫着する。
【００１５】
ワイヤー15（図６，図１）を14に挿入し、留め具6、7（図２）、ストラップ5（図２）を縫着する。
【００１６】
場合によっては（００１１）にて説明した土台布19を省略し、17,18,22で内前身頃とすることも可能であるが、その場合若干バストの安定感が損なわれる。
【符号の説明】
【００１７】
1  表カップ上部
2  表カップ下部
3  外側土台布  
4  バック布  
5  ストラップ
6  留め具（フックアイ凹）
7  留め具（フックアイ凸）
8  ストレッチテープ
9  ストレッチテープ
10  テープ状布
11  外側カップ芯材（不織布）上部
12  外側カップ芯材（不織布）下部
13  テープ状布
14  ループ状布
15  ワイヤー
16  パッド
17  内側カップ芯材（不織布）上部
18  内側カップ芯材（不織布）下部
19  内側土台布
20  テープ状布
21  ループ状布
22  カップ連結布
30  カップ裏あて布上部
31  カップ裏あて布下部
32  カップ裏あて袋布
33  パッド
34  モールド形成済みカップ
a   切断線  
ｂ  縫合線
【図１】
0003156785.tif 000003
【図２】
0003156785.tif 000004
【図３】
0003156785.tif 000005
【図４】
0003156785.tif 000006
【図５】
0003156785.tif 000007
【図６】
0003156785.tif 000008
【図７】
0003156785.tif 000009
【図８】
0003156785.tif 000010
【図９】
0003156785.tif 000011
【手続補正書】
【提出日】平成21年11月9日(2009.11.9)
【手続補正１】
【補正対象書類名】実用新案登録請求の範囲
【補正対象項目名】全文
【補正方法】変更
【補正の内容】
【実用新案登録請求の範囲】
【請求項１】
ブラジャーの前面部分の構造において、任意の大きさに形成した見せかけのカップを有する外前身頃と、外前身頃のカップよりも縦方向が短く容量が少ないカップを有する内前身頃を重ね合わせて縫合した2重構造であり、その2枚の間の空間をクッション材で隙間を埋めた構造のブラジャー。
【請求項２】
請求項１記載のブラジャーの構造を有した衣類。